(57)【要約】 【課題】  容器の組み立てや飲料の補充・収容が容易に行え、且つ、持ち運びや収納・保管に便利な幼児用飲料容器を提供する。【解決手段】  飲料が収容される円筒状の容器本体１と、容器本体１の外周面に配置された一対の持ち手１ａ、１ｂと、容器本体１の開口縁部に螺着された注ぎ口１１を有するベース６と、吸い口部９と、ベース６に回動自在に枢支されると共に、吸い口部９を着脱自在に保持するアダプタ８と、アダプタ８に回動自在に枢支されて、吸い口部９を覆う蓋部２９とを備えている。一対の持ち手１ａ、１ｂの内一方の持ち手１ｂは、容器本体１の外周面に回動自在に取り付けられている。また、吸い口部９は、吸い口１３と、吸い口１３の一端が固定されると共に、アダプタ８を閉じた際にベース６の注ぎ口１１を閉塞し、且つ、パッキンとなる鍔部１４を備えている。【選択図】    図３
2005212821.tif 000002
【特許請求の範囲】
【請求項１】
飲料が収容される筒状の容器本体と、
当該容器本体の外周面に配置された一対の持ち手と、
前記容器本体の開口縁部に螺着された注ぎ口を有するベースと、
容器本体内の飲料を飲むための吸い口部と、
前記ベースに開閉自在に枢支されると共に、前記吸い口部を着脱自在に保持するアダプタと、
前記アダプタに開閉自在に枢支されて、前記吸い口部を覆う蓋部とを備え、
前記一対の持ち手の内の一方の持ち手は、前記容器本体の外周面に回動自在に取り付けられていることを特徴とする幼児用飲料容器。
【請求項２】
前記一方の持ち手は、前記容器本体の外周面に外嵌する環状部を有し、当該容器本体に設けた環状突部に回動自在に係止されると共に、開口縁部に螺着された前記ベースにより、前記容器本体からの脱落が防止されていることを特徴とする請求項１に記載の幼児用飲料容器。
【請求項３】
飲料が収容される円筒状の容器本体と、
当該容器本体の外周面に配置された一対の持ち手と、
前記容器本体の開口縁部に螺着された注ぎ口を有するベースと、
容器本体内の飲料を飲むための吸い口部と、
前記ベースに開閉自在に枢支されると共に、前記吸い口部を着脱自在に保持するアダプタと、
前記アダプタに開閉自在に枢支されて、前記吸い口部を覆う蓋部とを備え、
前記吸い口部は、吸い口と、当該吸い口の一端が固定されると共に、前記アダプタを閉じた際に前記ベースの注ぎ口を閉塞し、且つ、閉塞箇所のパッキンとなる鍔部とを備えることを特徴とする幼児用飲料容器。
【請求項４】
前記吸い口部に、所定の向きにて前記アダプタの通孔に嵌挿可能な通孔を突設したことを特徴とする請求項３に記載の幼児用飲料容器。
【請求項５】
前記容器本体の底部を椀状に丸く形成したことを特徴とする請求項１から請求項４までの何れかに記載の幼児用飲料容器。
【発明の詳細な説明】
【技術分野】
【０００１】
本発明は、幼児が吸い口を用いて飲料を飲む訓練をするための飲料容器に関するものである。
【背景技術】
【０００２】
成長過程において、幼児が飲み方の訓練用に用いる飲料容器として、有底筒状のマグカップが知られている。通常、マグカップは、容器本体の外周面に持ち手を備え、その開口縁部に吸い口を設けたベースを螺着することにより、容器を閉塞して容器内の飲料が漏れ出ないように構成したもので、幼児が持ち手を握って吸い口を口元に運ぶことにより、吸い口より容器内の飲料を零さずに飲むことができる。
【０００３】
吸い口は、乳首を横に平たくした形状のスパウトや、円口のストロー等が用意されており、幼児の成長に応じてこれら吸い口を替えることにより、乳首離れ移行期に幼児がストローやコップに移行する過程での飲み方の訓練を段階的に行えるようになっている。このような、飲料容器の一例として特許文献１が開示されている。
【特許文献１】特開２００２−３２６６５５号公報
【発明の開示】
【発明が解決しようとする課題】
【０００４】
ところで、このような幼児用の飲料容器は、幼児が容器を両手で保持し易いように、対向する一対の持ち手を備え、これらが容器の外周面に固着されているものが多い。このようなものは、容器の収納・保管に嵩張ったり、外出時等にバックに入れて持ち運ぶ時、持ち手が邪魔して不便であった。
【０００５】
また、飲料容器に飲料を補充・収容する場合は、先ず、容器本体に螺着された吸い口付きのベースを逆に回して取り外し、次に、取り外したベースを一旦手元に置いて、その後、容器本体に飲料を注ぎ込むといった手間の掛かる作業を行うことになり、忙しい幼児の保護者等にとって使い勝手が悪いものであった。加えて、取り外したベースを手元に置いた場合、吸い口部分を汚して不衛生にするといった心配もある。
【０００６】
また、ストロータイプでは、ストローの下端が容器の底より浮いて、飲料を最後まで飲みきれなくなるといった不都合もある。
【０００７】
本発明は、このような問題に鑑み成されたもので、容器の組み立てや飲料の収容が容易に行え、且つ、嵩張らず、持ち運びや収納・保管に便利な幼児用飲料容器を提供することを目的としている。
【課題を解決するための手段】
【０００８】
すなわち、請求項１に記載の本発明は、飲料が収容される筒状の容器本体と、当該容器本体の外周面に配置された一対の持ち手と、前記容器本体の開口縁部に螺着された注ぎ口を有するベースと、容器本体内の飲料を飲むための吸い口部と、前記ベースに開閉自在に枢支されると共に、前記吸い口部を着脱自在に保持するアダプタと、前記アダプタに開閉自在に枢支されて、前記吸い口部を覆う蓋部とを備え、前記一対の持ち手の内一方の持ち手は、前記容器本体の外周面に回動自在に取り付けられていることを特徴としている。
【０００９】
本構成では、アダプタを設けて吸い口部の取り付けを着脱自在としたので、吸い口部を交換するだけで、乳首離れ移行期の幼児がスパウトからストローへと飲料の飲み方を段階的に訓練することができる。
また、アダプタを開閉自在にしたので、飲料の収容・補充は吸い口部を付けたままの状態で行うことができ、衛生的で、且つ、使い勝手が良い。
また、持ち手を回動して持ち手を一箇所に纏めると、バック等の中でも邪魔にならず、持ち運びに便利である。また、非使用時の収納・保管にも場所を取らない。
【００１０】
また、請求項２に記載の本発明は、請求項１に記載の幼児用飲料容器において、前記一方の持ち手は、前記容器本体の外周面に外嵌する環状部を有し、当該容器本体に設けた環状突部に回動自在に係止されると共に、開口縁部に螺着された前記ベースにより、前記容器本体からの脱落が防止されていることを特徴としている。
【００１１】
本構成では、持ち手の環状部を容器本体のネジ部と環状突部の隙間に嵌装し、この開口縁部のネジ部にベースを螺着することにより、環状部は環状突部とベースに挟まれた状態で回動自在となり、且つ、持ち手が容器本体から外れるのが防止される。
【００１２】
また、請求項３に記載の本発明は、飲料が収容される円筒状の容器本体と、当該容器本体の外周面に配置された一対の持ち手と、前記容器本体の開口縁部に螺着された注ぎ口を有するベースと、容器本体内の飲料を飲むための吸い口部と、前記ベースに開閉自在に枢支されると共に、前記吸い口部を着脱自在に保持するアダプタと、前記アダプタに開閉自在に枢支されて、前記吸い口部を覆う蓋部とを備え、前記吸い口部は、吸い口と、当該吸い口の一端が固定されると共に、前記アダプタを閉じた際に前記ベースの注ぎ口を閉塞し、且つ、閉塞箇所のパッキンとなる鍔部とを備えることを特徴としている。
【００１３】
本構成では、アダプタとベースの圧接部分にパッキンが介在されることになるため、アダプタとベースとのパッキン構造が簡略化されると共に、当パッキン構造によりアダプタを閉じた時の水密性が確保されて、飲料の漏れが回避できる。
【００１４】
また、請求項４に記載の発明は、請求項３に記載の幼児用飲料容器において、前記吸い口部に、所定の向きにて前記アダプタの通孔に嵌挿可能なエア弁を突設したことを特徴としている。
【００１５】
本構成では、エア弁は、容器本体内からの飲料の逆流を防止するだけでなく、アダプタに吸い口部を取り付ける際の位置決めとしても機能し、これにより吸い口部をアダプタに対して常に正しい向きに保持・固定することができる。
【００１６】
また、請求項５に記載の発明は、請求項１から請求項４までの何れかに記載の幼児用飲料容器において、前記容器本体の底部を椀状に丸く形成したことを特徴としている。
【００１７】
本構成では、丸くした内底の中央に残少飲料が溜まるため、器内の底に溜まった飲料をストローで全てスムースに飲み尽くすことができる。
【発明の効果】
【００１８】
以上説明したように、本発明によれば、アダプタを開閉自在としたので、飲料の収容・補充は、吸い口部を付けたまま行うことができるため極めて衛生的であり、且つ、使い勝手が良い。
【００１９】
また、持ち手を回動自在としたので、一対の持ち手を一箇所に纏めることができ嵩張らず、持ち運びや非使用時の収納・保管にも場所を取らず都合が良い。
【００２０】
また、吸い口部の蓋部をアダプタを閉じた際のパッキンとして利用したので、ベースとアダプタとのパッキン構造を簡略化できると共に、アダプタを閉じた時の水密性が確実に確保されて、飲料の漏れが回避できる。加えて、蓋部に設けたエア弁を吸い口部を取り付ける際の位置決めに利用しているので、吸い口部をアダプタに対して常に正しい向きに保持・固定することができる。
【発明を実施するための最良の形態】
【００２１】
以下、図１〜図３に基づいて本発明の実施形態を説明する。
ここで、図１は本実施形態による幼児用飲料容器の外観図、図２は、同、幼児用飲料容器の内部構造を示す断面図、図３は、同、幼児用飲料容器の分解斜視図である。
【００２２】
図１〜図３に示すように、本実施形態の幼児用飲料容器１００は、お茶やジュース等、幼児の好む飲料が収容される円筒状の容器本体１を備えている。この容器本体１は、例えば、透明や半透明のポリプロピレン樹脂で成り、筒体の下部１ａを裾の状に広げて、載置した時の安定性を向上させた形状とすると共に、図２に示すように、内底１ｂを椀状に丸くして、残り少なくなった飲料が常に内底１ｂの中央に溜められるようになっている。容器本体１の外周には、幼児が握り易いよう内側に指あてを設けた片方側の持ち手２ａが一体形成されている。また、この容器本体１の上部外周に環状突部３が、また、開口縁部にネジ部４が形成されている。
【００２３】
もう片方の持ち手２ｂは、上記した持ち手２ａと相違し、容器本体１とは別体で構成されており、その上端が容器本体１の外周面に外嵌可能な環状部５に支持された構造と成されている。この環状部５を開口側より容器本体１に嵌挿し、環状突部３に係止することにより、持ち手２ｂを容器本体１に回動自在に装着できる。尚、持ち手２ｂを回して容器本体１の環状突部３の適所に設けた係止突起３６を、持ち手２ｂに設けた一対の係止駒３７、３７の間に係合させると持ち手２ａ、２ｂは対向位置に固定されるようになっている。
【００２４】
この環状部５の上方に、シリコーン樹脂製のリング状パッキン２０を装着したベース６が配置されている。このベース６は、ポリプロピレン等の樹脂製で成り、その頂面中央部に円形の注ぎ口１１が形成されている。
また、このベース６の開放側の内壁に容器本体１のネジ部４とネジ嵌合するネジ溝７が設けてあり、このネジ溝７をネジ部４にネジ嵌合させることにより、べース６を容器本体１に螺着することができると共に、持ち手２ｂの環状部５が容器本体１の環状突部３とベース６の開口端縁の間に挟まれる状態で回動自在に支持されて容器本体１から外れなくなる。
尚、ベース６、持ち手２ｂ、容器本体１のそれぞれの周側部には、ベース６を容器本体１に螺着する際の締め付けの目安となる位置決めマーク３０ａ、３０ｂ、３０ｃが設けてある。
【００２５】
持ち手２ｂが回動すれば、図１（ａ）の破線に示すように、持ち手２ａ、２ｂを一箇所に纏めることができるため、飲料容器１００をバック等に入れて持ち運びしたり非使用時に食器棚や収納ケース等に保管する際、場所を取らず、極めて都合が良い。
【００２６】
アダプタ８は、ポリプロピレン等の樹脂で成り、その頂面中央に装着部１０を備え、この装着部１０の扁平な取付面１０ａに吸い口部９を装着するための取付孔１２が形成されている。
【００２７】
吸い口部９は、弾性のある柔らかい素材、例えば、シリコーン樹脂で成り、吸い口１３と、当吸い口１３の下端が固定される円形の鍔部１４を備え、且つ、鍔部１４は、ベース６の注ぎ口１１とその突出縁部１１ａを覆う縁１４ａ付き形状と成されている。吸い口１３と鍔部１４は一体成形品で、鍔部１４に繋がる吸い口１３の基端部に括れ１６が形成されている。
【００２８】
取付孔１２の下方より吸い口３を挿入し、その括れ１６部分を取付孔１２の縁部に嵌め込むことにより、装着部１０を介して吸い口部９をアダプタ８に着脱自在に装着することができる。尚、幼児が容器本体１の飲料を飲み易いよう、装着部１０の取付面１０ａを手前側に向けて斜めに形成して、装着した吸い口１３の先端が幼児の口元に向くようにしてある。
【００２９】
また、鍔部１４の適所に筒状のエア弁１５が突設され、これに対応する装着部１０の取付面１０ａの部位に、当エア弁１５が嵌挿可能な通孔１９が形成されている。このエア弁１５は、熱い飲料を容器本体１に収容した場合、その熱により容器内の圧力が上昇して飲料が吸い口１３より逆流・噴出しないように、圧抜きをするためのものであるが、本実施形態では、装着部１０に吸い口部９を取り付ける際の位置決めとしても機能しており、これにより、吸い口部９をアダプタ８に対して常に正しい向きに保持・固定することができる。
【００３０】
吸い口部９は、幼児の口に合わせて乳首を横に平たく形成した形状（スパウトタイプ）の吸い口１３（図２（ｂ）参照）を備えたものと、先端部分を太径にして口当たりを良くした円口形状（ストロータイプ）の吸い口１３を備えたものとの２種類が用意されいるが、どちらも装着部のへの取り付け構造は同じであり、取付孔１２に括れ１６を嵌め込むだけで良いから、吸い口部９の交換は容易に行える。
【００３１】
尚、ストロータイプの吸い口１３を使用する場合は、図２（ａ）に示すように、吸い口１３の下端部に設けた連結孔１８に別に用意した長尺のストロー１７（例えば、シリコーン樹脂製）を嵌着して使用する。この際、ストロー１７の下端を容器底面のほぼ中央に臨ませるのが好ましい。これにより、容器の内底１ｂに溜まった飲料をスムースに全て飲み尽くすことができる。
【００３２】
アダプタ８は、ベース６に開閉自在に枢支されている。アダプタ８の側部に設けた支軸２１と、これに対応するベース６の部位に設けた凹部２２とでヒンジ機構が構成され、支軸２１を凹部２２に嵌合することにより、アダプタ８はベース６に回動自在に枢支され、支軸２１を支点にして開閉自在となる。
【００３３】
また、このヒンジ機構の対向側に、閉蓋時のロック機構が形成されている。このロック機構は、図３に示すように、アダプタ８側に設けた孔部２３と、これに対応するベース側の部位に設けた突起部２４と、ロック摘み２５とで構成されており、孔部２３の周囲には案内溝３８が形成されている。また、ロック摘み２５の裏面には、割れ溝２７を設けた軸筒２８と、上記した案内溝２７に係合する突起２６が形成されている。アダプタ８を閉じて孔部２３より突起部２４にロック摘み２５の軸筒２８を嵌入し、ロック摘み２５を回して軸筒２８の割れ溝２７を下向きにさせると、突起部２４は軸筒２８によって係止された状態となり、アダプタ８はロック状態となる。
【００３４】
ロック状態においては、ベース６の注ぎ口１１が吸い口部９の鍔部１４により閉塞されると共に、その突出縁部１１ａは、鍔部１４の突出縁部１４ａにてシールされて、アダプターを閉じた時のベース６の水密性が確保されているため、飲料を収容した飲料容器１００を持ち歩いて、傾けたり倒したりしても飲料が注ぎ口１１の隙間から漏れ出る不都合はない。
また、ロック機構には、鍔部１４の弾性によってアダプタ８の開方向の力が常に働いているためロックは確実であり、持ち歩きの際の衝撃や振動等でロックが弛むことはない。また、ロックを解除する場合は、ロック摘み２５を回して軸筒２８の割れ溝２７を上向きにし、双方の係合を外せば良い。
尚、ロック摘み２５によるロック操作およびロック解除操作は、ロック摘み２５を回転するとその突起２６が案内溝３８内を円状に摺動するため、スムースに行える。
【００３５】
このように、アダプタ８を開閉構造にすると、吸い口部を付けたまま飲料の収容や補充が行えるため、従来のように不潔になり易い吸い口部を外して汚すこともなくなり、極めて衛生的であり、且つ、使い勝手も良い。
【００３６】
また、アダプタ８には、例えば、ポリプロピレン樹脂等で成る椀状の蓋部２９が開閉自在に枢支されている。蓋部２９の縁部に設けた支軸３１と、これに対応するアダプタ８の部位に設けた凹部３２とでヒンジ機構が構成され、支軸３１と凹部３２を嵌合することにより、蓋部２９はアダプタ８に回動自在に支持され、支軸３１を支点にして開閉自在となる。閉蓋時は、このヒンジ機構の対向側に設けた蓋部２９の係止鉤３３とアダプタ８の係止突片３４が弾性係合して蓋部２９の閉塞状態が保持される。
【００３７】
使用しいない時、蓋部２９を閉じているとストロータイプ、スパウトタイプ共に、吸い口部９が蓋部２９で覆われて常に保管状態にしておくことができ、衛生的である。
特に、本実施形態のスパウトタイプでは、吸い口１３が弾性のある柔らかいシリコーン樹脂で構成されていると共に、吸い口１３自体が蓋部２９の閉じ方向（手前方向）に傾斜しており、且つ、その形状が閉じ方向（横方向）に扁平に形成されているため、蓋部２９を閉じた際、蓋部２９の突片４０が吸い口１３を確実に潰すことができ、よって、飲料容器を持ち歩いても飲料漏れが生じる心配はない。
また、使用時に手前の鍔３５を摘んで持ち上げれば係止鉤３３と係止突片３４の係合が外れ、蓋部２９が開いて飲料を飲むことができる。このように、本実施形態では、ストロータイプだけでなくスパウトタイプの吸い口部９であっても、蓋部２９を取り付けたままの状態で飲料を飲むことができるため、蓋部２９を取り外して蓋部２９の置場に困ったり紛失したりする心配もなくなり、極めて使い勝手の良いものとなる。
また、蓋部２９が飲料を飲む時の邪魔になったり、容器を傾けて開けた蓋部２９が不用意に閉じてしまわないよう、蓋部２９の支軸３１付近に椀状陥没部３９を設け、図２（ａ）に示すように、蓋部２９を開けた時に、この陥没部３９にベース６の丸角部が入り込むように構成して、蓋部２９の開口角度を極力大きくしてある。
【００３８】
次に、主に図３を参照して、上記構成の幼児用飲料容器１００の組み立て方法を説明する。
【００３９】
先ず、本体容器１に持ち手２ｂを装着する。持ち手２ｂを回すと、持ち手２ａの対向位置でロック・固定される。
次に、ベース６の開口内壁にパッキン２０（図２、図３参照）を嵌め込む。
次に、蓋部２９を取り付けたアダプタ８をベース６に取り付け、ベース６を本体容器１の開口部に螺着する。この時、図１（ｂ）に示すように、ベース６の位置決めマーク３０ａと持ち手２ｂの位置決めマーク３０ｂと本体容器１の位置決めマーク３０ｃのそれぞれが一直線状に位置するまでベース６をしっかり締め付ける。これにより、ベース６の螺着部からの飲料漏れが無くなる。
尚、蓋部２９の取り付けやアダプタの取り付けは、支軸２１（３１）と凹部２２（３２）との嵌合であるから極めて容易である。従って、これらをこまめに取り外して洗浄・消毒できるので衛生的である。
次に、蓋部２９を開いてアダプタ８の装着部１０に、スパウトタイプ、若しくはストロータイプの吸い口部９を取り付ける。尚、吸い口部９の取り付けは、吸い口１３の括れ１６を取付孔１２の縁部に嵌め込むと共に、鍔部１４に突設したエア弁１５を取付面１０ａの通孔１９に嵌め込む。エア弁１５と通孔１９を嵌合することにより、吸い口部９が正しい向きに位置決めされ、吸い口１３の先端が斜め前方に臨むこととなる。
ストロータイプの吸い口部９を取り付ける場合は、取り付け後、別のストロー１７を吸い口１３に接続し、その下端を容器底部の中央に臨ませる。これまでの作業は、アダプタ８を開いた状態で行う。
次に、アダプタ８を閉じ、ロック摘み２５を回してロックする。
これで、幼児用飲料容器１００の組み立ては完了する。
【００４０】
尚、組み立ての際、他の飲料容器のパーツが混在しないように、本実施形態では、飲料容器１００のパーツの内、ストロー１７を除く各パーツに、図示しないが、それぞれの適所に、共通マーク、例えば、製造元のロゴマーク等を刻印してある。各パーツに共通マークを刻印することにより、容器組み立て時に過って他の製品のパーツを混在させて、組み立て不良や飲料漏れ等のトラブルが発生するのを回避するためである。
通常、幼児の保護者等は、多種・多様の飲料容器を併用し、衛生管理のために各飲料容器の分解清掃を頻繁に行っており、このため、係るトラブルが起こり得るものである。
【００４１】
また、当幼児用飲料容器１００を使用する場合は、アダプタ８のロックを解除してアダプタ８を開き、ベース６の注ぎ口１１より容器本体１に飲料を注ぎ込んだ後、アダプタ８を閉じてロックすれば良い。飲み方の訓練は、先ず、蓋部２９を全開すると共に、一対の持ち手１ａ、１ｂが一箇所に纏められていれば、持ち手２ｂを回動して持ち手２ａ、２ｂを対向位置に固定する。
スパウトタイプの吸い口部９による飲み方が上達したら、次に、吸い口部９をストロータイプに交換し、ストローによる飲み方を訓練する。
【００４２】
このように、本実施形態の幼児用飲料容器１００は、乳首離れの移行練習の乳幼児がスパウトからストローへと飲料の飲み方を段階的に訓練することができ、且つ、飲料の収容・補充も吸い口を付けたまま行えるため衛生的であり、確実なパッキン構造で飲料漏れも生じることはない。また、持ち手２ａ、２ｂを一箇所に纏めると嵩張らず、持ち運びや非使用時の収納・保管に都合が良い。また、分解組み立ても容易であるから、洗浄・消毒もこまめに行えて、苦にならない。
【図面の簡単な説明】
【００４３】
【図１】本発明の幼児用飲料容器を示し、（ａ）は平面図、（ｂ）は正面図。
【図２】（ａ）は、同、幼児用飲料容器の内部構造を示す縦断面図、（ｂ）は図２（ａ）とは別の吸い口部を示す側面図。
【図３】同、幼児用飲料容器の分解斜視図。
【符号の説明】
【００４４】
１  容器本体
１ｂ  底部
２ａ、２ｂ  持ち手
３  環状突部
５  環状部
６  ベース
８  アダプタ
９  吸い口部
１１  注ぎ口
１３  吸い口
１４  鍔部
１５  エア弁
１９  通孔
２９  蓋部
１００  幼児用飲料容器
【図１】
2005212821.tif 000003
【図２】
2005212821.tif 000004
【図３】
2005212821.tif 000005